(57)【要約】【課題】プラグが長寸になることなく、しかも、ピッキング操作に対する耐性の高いシリンダ錠の提供を目的とする。【解決手段】解錠キー挿入部１を備えたプラグ２をシリンダケース３内に回転自在に挿入したシリンダ錠であって、  前記プラグ２の先端部には、解錠キー１０の断面形状にほぼ一致する形状を有し、解錠キー１０以外の工具により回転トルクを付与する際に工具の挿入先端に係止代を提供可能な深さ寸法を有する貫通孔４が開設されたキャップ部材５がプラグ２とシリンダケース３に対して空転自在に装着されるとともに、  プラグ２外周とシリンダケース３内周には、貫通孔４が解錠キー挿入部１に一致する回転姿勢で正対する凹部６が設けられ、  かつ、キャップ部材５には、一部が前記いずれかの凹部６に嵌合する径寸法を有するストッパボール７がボール保持孔８内に移動自在に保持される。【選択図】  図４
2006070554.tif 000002
【特許請求の範囲】
【請求項１】
解錠キー挿入部を備えたプラグをシリンダケース内に回転自在に挿入したシリンダ錠であって、
前記プラグの先端部には、解錠キーの断面形状にほぼ一致する形状を有し、解錠キー以外の工具により回転トルクを付与する際に工具の挿入先端に係止代を提供可能な深さ寸法を有する貫通孔が開設されたキャップ部材がプラグとシリンダケースに対して空転自在に装着されるとともに、
プラグ外周とシリンダケース内周には、貫通孔が解錠キー挿入部に一致する回転姿勢で正対する凹部が設けられ、
かつ、キャップ部材には、一部が前記いずれかの凹部に嵌合する径寸法を有するストッパボールがボール保持孔内に移動自在に保持されるシリンダ錠。
【請求項２】
前記貫通孔は、プラグ内の第１タンブラ配置位置近傍までの深さ寸法を有する請求項１記載のシリンダ錠。
【請求項３】
前記貫通孔は、プラグの解錠キー挿入部の形状にほぼ一致する請求項１または２記載のシリンダ錠。
【請求項４】
前記キャップ部材とシリンダケースの回転境界には、施錠回転位置におけるプラグの解錠キー挿入部に貫通孔が一致する回転位置にキャップ部材を保持するクリックストップ機構が配置される請求項１、２または３記載のシリンダ錠。
【発明の詳細な説明】
【技術分野】
【０００１】
本発明は、シリンダ錠に関するものである。
【背景技術】
【０００２】
ピッキング工具を使用したピッキング操作を困難にしたシリンダ錠としては、特許文献１に記載のものが知られている。この従来例において、プラグの前端にはキー挿入口に続く円形凹部が設けられ、該円形凹部を閉塞するように、キャップが装着される。
【０００３】
円形凹部は、キャップにより挿入姿勢が規制されたピッキング工具の係止部がキー挿入口に達しない程度の深さに設定されており、ピッキング工具の係止部をさらに奥に開口するキー挿入口に係止させることを防止する。また、キャップは、上記ピッキング工具の斜め挿入による係止部のキー挿入口への到達を防止するとともに、プラグに対して空転自在とされて、プラグへの回転操作力を付与を不能にする。
【０００４】
この結果、ピッキングによる不正解錠に必須のプラグへの回転力付与が困難になるために、ピッキング操作が不能になる。
【特許文献１】実公平６-３３１６５号公報
【発明の開示】
【発明が解決しようとする課題】
【０００５】
しかし、上述した従来例において、プラグ前端に十分な深さの円形凹部を設け、さらにその下方に解錠キーの挿入深さを規制するストッパ面を設定する必要があるために、プラグが長寸になってしまうという欠点がある。
【０００６】
本発明は、以上の欠点を解消すべくなされたものであって、プラグが長寸になることなく、しかも、ピッキング操作に対する耐性の高いシリンダ錠の提供を目的とする。
【課題を解決するための手段】
【０００７】
本発明によれば上記目的は、
解錠キー挿入部１を備えたプラグ２をシリンダケース３内に回転自在に挿入したシリンダ錠であって、
前記プラグ２の先端部には、解錠キー１０の断面形状にほぼ一致する形状を有し、解錠キー１０以外の工具により回転トルクを付与する際に工具の挿入先端に係止代を提供可能な深さ寸法を有する貫通孔４が開設されたキャップ部材５がプラグ２とシリンダケース３に対して空転自在に装着されるとともに、
プラグ２外周とシリンダケース３内周には、貫通孔４が解錠キー挿入部１に一致する回転姿勢で正対する凹部６が設けられ、
かつ、キャップ部材５には、一部が前記いずれかの凹部６に嵌合する径寸法を有するストッパボール７がボール保持孔８内に移動自在に保持されるシリンダ錠を提供することにより達成される。
【０００８】
プラグ２およびシリンダケース３の双方に対して空転自在に装着されるキャップ部材５には解錠キー１０の断面形状にほぼ一致する形状の貫通孔４が形成されており、プラグ２に解錠キー１０が挿入された場合には、プラグ２と同期してシリンダケース３内を回転する。この場合、図４（ｂ）に示すように、ストッパボール７にプラグ２の凹部６Ａが対応するために、ストッパボール７はプラグ２側の凹部６Ａに落ち込み、プラグ２およびキャップ部材５の回転は規制されない。
【０００９】
これに対し、プラグ２にピッキング工具等の解錠キー１０とは異なる断面形状を有するものを挿入して回転トルクを与えた場合には、キャップ部材５の貫通孔４は、このような操作を行おうとした場合に工具の挿入先端が当接して係止代となる程度の深さ寸法を有しているために、キャップ部材５にのみ回転トルクが付加される。
【００１０】
キャップ部材５がプラグ２に対して相対回転すると、ストッパボール７とプラグ２の凹部６との位置関係が変化するために、ストッパボール７はシリンダケース３側の凹部６Ｂに押し出される。この状態で、ストッパボール７はキャップ部材５とシリンダケース３との回転境界に介在してキャップ部材５の回転を規制し、以後、キャップ部材５を介したプラグ２への回転トルクの付与が不能になる。
【００１１】
したがって本発明によれば、ピッキング工具等を使用しても、プラグ２に回転トルクを与えることができないために、ピッキング耐性が向上する。また、キャップ部材５に解錠キー１０の挿入ストッパ等を設定できるために、プラグ２が長寸になることを避けることができる。
【００１２】
貫通孔４は、上記工具等の挿入部の長さを考慮して適宜決定すれば足りるが、プラグ２内の第１タンブラ配置位置近傍までの深さ寸法に設定すると、上記工具等を第１タンブラを超えてさらに奥まで挿入すると、タンブラへのアクセスが不可能となるために、挿入部がどのような長さをもったピッキング工具を使用しても、ピッキング操作が不能になる。
【００１３】
さらに、貫通孔４は、解錠キー１０の挿入によってのみプラグ２と同期して回転することが保障されれば足り、解錠キー１０のキーブレード部の基端、すなわち、挿入ストッパ段部より握り部側断面、挿入ストッパ段部よりキーブレード先端側で、ガイド溝等が形成されていない領域の断面であってもよいが、プラグ２の解錠キー挿入部１の形状にほぼ一致させた場合には、異種プレートの挿入を完全に防止できる。
【００１４】
また、キャップ部材５とシリンダケース３の回転境界には、施錠回転位置におけるプラグ２の解錠キー挿入部１に貫通孔４が一致する回転位置にキャップ部材５を保持するクリックストップ機構９が配置されるシリンダ錠を構成すると、通常の使用時に解錠キー挿入部１と貫通孔４とが一致し、解錠キー１０を挿入するだけで施解錠操作ができるために、使い勝手が向上する。
【発明の効果】
【００１５】
本発明によれば、プラグ２が長寸になることなく、ピッキング操作に対する耐性を高めることができる。
【発明を実施するための最良の形態】
【００１６】
図１に、扉体Ｄに固定されて扉体Ｄ内の錠本体を操作するために使用されるシリンダ錠を示す。シリンダ錠は、シリンダケース３内にプラグ２を回転自在に挿入して形成され、シリンダケース３の前端部には、筒状カバー１１が装着される。筒状カバー１１は、回転操作により扉体Ｄ表面側に移動させることが可能であり、図２の状態でシリンダ錠を扉体Ｄに固定した後、図１（ａ）に示すように、筒状カバー１１を締め付けて取付孔１２を覆い隠すことができる。
【００１７】
図３に示すように、このシリンダ錠に使用される解錠キー１０は、表裏両面にガイド溝１０ａを点対称位置に凹設した矩形断面形状を有しており、表裏面に解錠コード形成凹部１０ｂが設けられる。プラグ２中心部には長手通しに上記解錠キー１０が挿入される解錠キー挿入部１が開設されており、該解錠キー挿入部１に先端が突出するように、複数のタンブラピン１３が収容される。解錠キー挿入部１の断面形状は、上記解錠キー１０の断面形状にほぼ一致しており、側壁面に上記ガイド溝が嵌合するガイド突起１ａが設けられる。
【００１８】
また、プラグ２終端には連結部２ａが設けられており、扉体Ｄに開設された取付孔１２にシリンダ錠を室外側から挿入して固定すると、連結部２ａは扉体Ｄ内に固定された錠本体（図示せず）に連結される。この状態でプラグ２に真正な解錠キー１０を挿入すると、上記解錠コード形成凹部６によりタンブラピン１３がプラグ２内の所定位置まで押しやられてシリンダケース３側の端部がプラグ２とシリンダケース３の回転境界に一致する。この状態で解錠キー１０を回転させると、プラグ２も回転し、連結部２ａを介して錠本体を施解錠操作することができる。プラグ２前端部の詳細を図４（ａ）に示す。５はプラグ２の前端に装着されるキャップ部材であり、不正な破壊攻撃から防御するために、例えばクロムモリブデン鋼に浸炭焼き入れしたものが使用される。このキャップ部材５は、プラグ２の前端部を被冠するようにプラグ２に対して空転自在に装着され、シリンダケース３の前端に固定されるケースカバー１４により抜け止めされる。
【００１９】
キャップ部材５には上記解錠キー挿入部１に連通する貫通孔４が開設される。貫通孔４は、解錠キー挿入部１とほぼ同一断面形状を有し、ガイド突起１ａに対応してキャップ側ガイド突起４ａを有する。図１（ａ）に示すように、貫通孔４は、プラグ２内の最前部のタンブラピン１３（第１タンブラピン１３’）の近傍にまで至る。
【００２０】
７はストッパボールであり、キャップ部材５の側壁部に開設されたボール保持孔８内に転動自在に収容される。このストッパボール７は、ボール保持孔８の径方向の肉厚よりやや大径に形成されており、差分を収容するために、プラグ２側壁には凹部６（６Ａ）が形成される。図４（ｃ）に示すように、凹部６Ａは、プラグ２側の解錠キー挿入部１とキャップ部材５側の貫通孔４とが完全に重合する姿勢でボール保持孔８に正対する位置に形成される。この凹部６Ａは、後述するように、キャップ部材５に回転トルクが付加された際のストッパボール７の乗り上げが容易なように、回転方向を傾斜面としたＶ字溝として形成される。
【００２１】
６Ｂはシリンダケース３の内周壁に形成される凹部であり、プラグ２が施錠回転位置にある状態で、プラグ２側の凹部６Ａに正対する位置に設けられる。この凹部６Ｂは、周壁が曲率面からなる溝として形成される。
【００２２】
さらに、シリンダケース３とキャップ部材５との回転境界部には、クリックストップ機構９が配置される。クリックストップ機構９は、シリンダケース３を貫通するクリックボール収容孔９ａ内に収容されるクリックボール９ｂと、クリックボール９ｂをキャップ部材５側に付勢するクリックスプリング９ｃと、キャップ部材５の外周に形成されるクリック凹部９ｄとからなる。クリックボール収容孔９ａとクリック凹部９ｄとは、プラグ２が施錠回転位置にあり、かつ、プラグ２の解錠キー挿入部１とキャップ部材５の貫通孔４が合致するときに一直線となるように配置され、図４（ｃ）に示すように、当該姿勢でクリックボール９ｂはクリック凹部９ｄ内に落ち込み、両者を弱い連結力で回転方向に連結する。
【００２３】
プラグ２が施錠回転位置で施錠されている場合、クリックストップ機構９により、キャップ部材５の貫通孔４とプラグ２の解錠キー挿入部１とは合致しており、この状態で真正な解錠キー１０を挿入すると、図４（ｂ）に示すように、解錠キー１０によりプラグ２とキャップ部材５が同時に回転駆動されるために、解錠操作を行うことができる。このとき、ストッパボール７は、シリンダケース３側の凹部６Ｂに嵌合し、シリンダケース３とキャップ部材５の回転境界を閉塞することも可能であるが、プラグ２とキャップ部材５は常に同時に回転しているために、シリンダケース３側の凹部６Ｂに嵌合したストッパボール７は、キャップ部材５の回転とともに凹部６Ｂから押し出されてプラグ２側の凹部６Ａに嵌合し、回転操作に影響を与えない。
【００２４】
これに対し、ピッキング操作によりプラグ２を不正に解錠する場合には、プラグ２に特殊工具で回転トルクを加えながら他の工具でタンブラピン１３を操作する必要がある。ピッキング操作を行うために、プラグ２に特殊工具を挿入して回転トルクを与えようとすると、特殊工具の力点部はキャップ部材５の貫通孔４内壁に作用するために、キャップ部材５にのみ回転トルクが与えられる。これを避けるために、特殊工具の力点をさらに深い位置に設定すると、タンブラピン１３に達するために、別の工具によるタンブラピン１３の操作が不能になってしまう。
【００２５】
キャップ部材５にのみ回転トルクが付与されると、キャップ部材５とシリンダケース３、およびキャップ部材５とプラグ２との境界面に回転方向の力が発生し、まず、クリックボール９ｂがクリックボール収容孔９ａ内に退避ししてキャップ部材５とシリンダケース３との回転境界が開放され、次いで、キャップ部材５はシリンダケース３とプラグ２に対して相対回転する。キャップ部材５がプラグ２に対して相対回転すると、図４（ｄ）に示すように、ストッパボール７はプラグ２の凹部６Ａから押し出されてシリンダケース３側の凹部６Ｂに嵌合する。
【００２６】
この状態で、キャップ部材５とシリンダケース３との回転境界はストッパボール７により閉塞され、かつ、ストッパボール７はプラグ２側の凹部６Ａに嵌合できないために、キャップ部材５を回転させることはできない。この結果、プラグ２には回転トルクを与えることができず、ピッキング操作を行うことも不可能になる。
【図面の簡単な説明】
【００２７】
【図１】本発明を示す図で、（ａ）は（ｂ）の１Ｂ-１Ｂ線断面図、（ｂ）は正面図である。
【図２】図１（ａ）の２Ａ-２Ａ線断面図である。
【図３】解錠キーを示す平面図である。
【図４】本発明の動作を示す図で、（ａ）はシリンダ錠の先端部の拡大図、（ｂ）は解錠キーにより操作した状態を示す（ａ）の４Ａ-４Ａ線断面図、（ｃ）は施錠状態を示す（ｂ）に対応する図、（ｄ）はピッキング操作をした状態を示す（ｂ）に対応する図である。
【符号の説明】
【００２８】
１        解錠キー挿入部
２        プラグ
３        シリンダケース
４        貫通孔
５        キャップ部材
６        凹部
７        ストッパボール
８        ボール保持孔
９        クリックストップ機構
１０      解錠キー
【図１】
2006070554.tif 000003
【図２】
2006070554.tif 000004
【図３】
2006070554.tif 000005
【図４】
2006070554.tif 000006